(57)【要約】【課題】センター装置などのシステムを有することなく動画像符号化装置の位置を送信側から受信側に伝送できる動画像符号化復号化装置を提供すること。【解決手段】本発明の動画像符号化装置は、地理的位置を検出する位置情報検出部１０２と、位置情報検出部１０２により得られた位置情報を映像化する位置情報映像化部１０３と、位置情報映像化部１０３により得られた位置情報映像と入力映像とを合成する映像合成部１０４と、映像合成部１０４により得られた合成映像を動画像符号化列とする動画像符号化部１０５とを備えることとした。【選択図】　　　図１
2004023644.tif 000002
【特許請求の範囲】
【請求項１】
地理的位置を検出する位置情報検出部と、前記位置情報検出部により得られた位置情報を映像化する位置情報映像化部と、前記位置情報映像化部により得られた位置情報映像と入力映像とを合成する映像合成部と、前記映像合成部により得られた合成映像を動画像符号化列とする動画像符号化部とを備えたことを特徴とする動画像符号化装置。
【請求項２】
地理的位置を検出する位置情報検出部と、前記位置情報検出部により得られた位置情報を音声化する位置情報音声化部と、前記位置情報音声化部により得られた位置情報音声と入力音声とを合成する音声合成部と、前記音声合成部により得られた合成音声を音声符号化列とする音声符号化部とを備えたことを特徴とする動画像符号化装置。
【請求項３】
地理的位置を検出する位置情報検出部と、前記位置情報検出部により得られた位置情報をデータ化する位置情報データ化部と、前記位置情報データ化部により得られた位置情報データと入力データとを合成するデータ合成部と、前記データ合成部により得られた合成データをデータ符号化列とするデータ符号化部とを備えたことを特徴とする動画像符号化装置。
【請求項４】
前記動画像符号化装置より伝送する前記伝送符号化列から動画像符号化列と音声符号化列とデータ符号化列とを分離する分離部と、分離された動画像符号化列を映像として復号する動画像復号化部とを備えたことを特徴とする請求項１に記載の動画像復号化装置。
【請求項５】
前記動画像符号化装置より伝送する前記伝送符号化列から動画像符号化列と音声符号化列とデータ符号化列とを分離する分離部と、分離された音声符号化列を音声として復号する音声復号化部とを備えたことを特徴とする請求項２に記載の動画像復号化装置。
【請求項６】
前記動画像符号化装置より伝送する前記伝送符号化列から動画像符号化列と音声符号化列とデータ符号化列とを分離する分離部と、分離されたデータ符号列を位置情報として復号するデータ復号化部とを備えたことを特徴とする請求項３に記載の動画像復号化装置。
【発明の詳細な説明】
【０００１】
【発明の属する技術分野】
本発明は、テレビ電話システム、テレビ会議システム、遠隔監視装置といった、ディジタル映像通信に関する。
【０００２】
【従来の技術】
近年のディジタル通信技術の発展に伴い、ディジタル通信サービスに対して、より高いサービス品質と、それを提供しうる低いコストとが求められている。
【０００３】
一例として地上系通信路を用いたディジタル映像通信サービスを例にあげる。普及型のディジタル映像通信サービスとしてＩＳＤＮ網を用いたものが良く知られている。一般にＩＳＤＮ網の場合、１２８ｋｂｐｓの通信速度を実現しており、ディジタル映像通信サービス端末は映像を１２８ｋｂｐｓまで圧縮して伝送する。ＩＳＤＮ網に用いられる映像圧縮方式として最も一般的なものは、国際標準化方式Ｈ．３２０である。Ｈ．３２０を応用したシステムは、例えばテレビ電話として実現されており、端末や回線コストを低いコストに抑えつつ、双方向でのディジタル映像通信サービスを具現化することができる。
【０００４】
図３は、ＩＳＤＮ網を用いた動画像符号化装置および動画像復号化装置より成る従来の動画像符号化復号化装置の構成図を示す。
【０００５】
図３に示すように、動画像符号化装置は、入力映像を入力しＮＴＳＣ／ＣＩＦ変換するＮＴＳＣ／ＣＩＦ変換回路３０１と、動画符号化回路３０２と、多重化部３０３とで構成し、さらに動画像復号化装置は、動画像符号化装置よりＩＳＤＮ網３１０を介し送信された伝送符号列を入力し分離する分離部３０４と、動画復号化部３０５と、ＣＩＦ／ＮＴＳＣ変換回路３０６とで構成する。
【０００６】
これら従来の動画像符号化装置および動画像復号化装置でも、伝送路を介して地理的位置の位置情報を伝送することはでき、例えば特開平１１−３０８３４１号公報に記述されているように、伝送路上に中央情報センターのような位置情報を管理するセンター装置、システムあるいはサービスなどを介することにより、動画像復号化装置で動画像符号化装置の位置を知ることはできる。例えばセンター装置３０７がＩＳＤＮ網３１０に設備されている場合、センター装置３０７は送信側と受信側の双方の位置情報を把握しており、それらの把握した位置情報はＩＳＤＮ網３１０を介して送信される。
【０００７】
同様の従来例としてＰＨＳ位置情報サービスがあり、これはＰＨＳの位置を、ネットワーク網におかれた位置情報センターにおいて経度と緯度に変換し、それをファックスやパソコンなどに送るものである。このように、従来の技術でも、センター装置、システム、あるいはそれに準じたサービスを介することにより、動画像符号化装置の位置情報を動画像復号化装置に伝送することはできる。
【０００８】
【発明が解決しようとする課題】
しかしながら、従来の動画像符号化復号化装置では、動画像符号化装置の位置を送信側から受信側に伝送するためには、伝送路上に位置情報を管理するための何等かのシステムあるいはサービスが必要であった。
【０００９】
そのため位置情報を管理するセンター装置や、システムやそれに準じるサービスの提供を受けない限り、動画像符号化装置の位置を動画像復号化装置で知ることができなかった。
【００１０】
本発明は、このような従来の問題を解決するためになされたものであり、センター装置などのシステムを有することなく動画像符号化装置の位置を送信側から受信側に伝送できる動画像符号化復号化装置を提供するものである。
【００１１】
【課題を解決するための手段】
本発明の動画像符号化装置は、地理的位置を検出する位置情報検出部と、前記位置情報検出部により得られた位置情報を映像化する位置情報映像化部と、前記位置情報映像化部により得られた位置情報映像と入力映像とを合成する映像合成部と、前記映像合成部により得られた合成映像を動画像符号化列とする動画像符号化部とを備えることとした。
【００１２】
この構成により、位置情報を入力映像と合成して簡潔に伝送し、センター装置などのシステムを有することなく動画像符号化装置の位置を送信側から受信側に伝送できる。
【００１３】
また、本発明の動画像符号化装置は、地理的位置を検出する位置情報検出部と、前記位置情報検出部により得られた位置情報を音声化する位置情報音声化部と、前記位置情報音声化部により得られた位置情報音声と入力音声とを合成する音声合成部と、前記音声合成部により得られた合成音声を音声符号化列とする音声符号化部とを備えることとした。
【００１４】
この構成により、位置情報を入力音声と合成して簡潔に伝送し、センター装置などのシステムを有することなく動画像符号化装置の位置を送信側から受信側に伝送できる。
【００１５】
また、本発明の動画像符号化装置は、地理的位置を検出する位置情報検出部と、前記位置情報検出部により得られた位置情報をデータ化する位置情報データ化部と、前記位置情報データ化部により得られた位置情報データと入力データとを合成するデータ合成部と、前記データ合成部により得られた合成データをデータ符号化列とするデータ符号化部とを備えることとした。
【００１６】
この構成により、位置情報を入力データと合成して簡潔に伝送し、センター装置などのシステムを有することなく動画像符号化装置の位置を送信側から受信側に伝送できる。
【００１７】
また、前記動画像復号化装置は、前記動画像符号化装置より伝送する前記伝送符号化列から動画像符号化列と音声符号化列とデータ符号化列とを分離する分離部と、分離された動画像符号化列を映像として復号する動画像復号化部とを備えることとした。
【００１８】
この構成により、動画像符号化装置の位置を映像として伝送符号化列から容易に検出でき、センター装置などのシステムを有することなく動画像符号化装置の位置を受信側で知ることができる。
【００１９】
また、前記動画像復号化装置は、前記動画像符号化装置より伝送する前記伝送符号化列から動画像符号化列と音声符号化列とデータ符号化列とを分離する分離部と、分離された音声符号化列を音声として復号する音声復号化部とを備えることとした。
【００２０】
この構成により、動画像符号化装置の位置を音声として伝送符号化列から容易に検出でき、センター装置などのシステムを有することなく動画像符号化装置の位置を受信側で知ることができる。
【００２１】
さらに、前記動画像復号化装置は、前記動画像符号化装置より伝送する前記伝送符号化列から動画像符号化列と音声符号化列とデータ符号化列とを分離する分離部と、分離されたデータ符号列を位置情報として復号するデータ復号化部とを備えることとした。
【００２２】
この構成により、動画像符号化装置の位置をデータとして伝送符号化列から容易に検出でき、センター装置などのシステムを有することなく動画像符号化装置の位置を受信側で知ることができる。
【００２３】
【発明の実施の形態】
以下、本発明の実施の形態について、図面を用いて説明する。
【００２４】
本発明の実施形態の動画像符号化復号化装置は、動画像符号化装置１０１および動画像復号化装置２０１より成り、図１は、動画像符号化装置１０１の構成図を示す。
【００２５】
図１に示すように、動画像符号化装置１０１は、経度・緯度、地名などの地理的位置を検出する位置情報検出部１０２と、位置情報映像化部１０３と、映像合成部１０４と、動画像符号化部１０５と、音声符号化部１０６と、データ符号化部１０７と、多重化部１０８とで構成する。
【００２６】
次に、動画像符号化装置１０１の動作を説明する。動画像符号化装置１０１には動画像符号化部１０５と、音声符号化部１０６と、データ符号化部１０７と多重化部１０８とが具備されており、位置情報検出部１０２においては入力位置情報、例えばＧＰＳと呼ばれる人工衛星からの信号や、携帯電話の基地局との通信信号などから地理的位置の位置情報を検出する。得られた位置情報は位置情報映像化部１０３により何等かの映像信号として変換され、位置情報映像として出力される。位置情報映像と入力映像とは映像合成部１０４により合成される。合成映像１０４は動画像符号化部１０５により動画像符号化列に変換される。入力音声が音声符号化部１０６により音声符号化列へと変換され、入力データがデータ符号化部１０７によりデータ符号化列へと変換され、これらの動画像符号化列と音声符号化列とデータ符号化列とは多重化部１０８により多重化されて伝送符号列として動画像符号化装置１０１の出力となる。
【００２７】
また、位置情報を位置情報音声化部１０９により位置情報音声に変換し、これを音声合成部１１０にて入力音声と合成し、音声符号化部１０６により音声符号化列に変換し、動画像符号化列と音声符号化列とデータ符号化列とを多重化部１０８により多重して伝送符号列とし、動画像符号化装置１０１の出力とすることもできる。
【００２８】
また、位置情報を位置情報データ化部１１１により位置情報データに変換し、これをデータ合成部１１２にて入力データと合成し、データ符号化部１０７によりデータ符号化列に変換し、動画像符号化列と音声符号化列とデータ符号化列とを多重化部１０８により多重して伝送符号列とし、動画像符号化装置１０１の出力とすることもできる。
【００２９】
さらに、位置情報を、映像として合成するか、音声として合成するか、データとして合成するかは任意であり、位置情報映像化部１０３と映像合成部１０４、位置情報音声化部１０９と音声合成部１１０、位置情報データ化部１１１とデータ合成部１１２などの手段について、ひとつあるいは複数の手段として組み合わせて動画像符号化装置１０１を構成することもできる。
【００３０】
図２は、動画像複合化装置２０１の構成図を示す。
【００３１】
図２に示すように、動画像複合化装置２０１は、分離部２０２と、動画像復号化装置２０３と、音声復号化部２０４と、データ復号化部２０５と、映像分離部２０６と、音声分離部２０７と、データ分離部２０８とで構成する。
【００３２】
次に、動画像復号化装置２０１の動作を説明する。動画像復号化装置２０１には、分離部２０２と、動画像復号化装置２０３と、音声復号化部２０４と、データ復号化部２０５とが具備されており、動画像符号化装置１０１より伝送された伝送符号列は分離部２０２に送信され、分離部２０２で伝送符号列から動画像符号列と音声符号列とデータ符号列とが分離される。動画像符号列は動画像復号化部２０３に送られ、出力映像へと変換される。音声符号列は動画像復号化部２０４に送られ、出力音声へと変換される。データ符号列はデータ符号列２０５に送られ、出力データへと変換される。映像分離部２０６では、合成映像から位置情報映像だけを分離する処理を行うが、これは必要に応じて実施しても実施しなくても良く、合成映像をそのまま出力しても良い。音声分離部２０７では、合成音声から位置情報音声だけを分離する処理を行うが、これは必要に応じて実施しても実施しなくても良く、合成音声をそのまま出力しても良い。データ分離部２０８では、合成データから位置情報データだけを分離する処理を行うが、これは必要に応じて実施しても実施しなくても良く、合成データをそのまま出力しても良い。
【００３３】
例えば、位置情報を映像として合成し、動画像符号化部２０３により動画像符号列として伝送符号列に多重化した場合、動画像復号化装置２０１では、出力映像自身が位置情報映像との合成映像ということになり、出力映像を何等かの映像出力装置に接続することにより動画像符号化装置１０１の位置が分かるようにすることができる。
【００３４】
また、動画像符号化装置１０１で位置情報を音声として合成し、音声符号化部１０６により音声符号列として伝送符号列に多重化した場合、動画像復号化装置２０１では、出力音声自身が位置情報音声との合成音声ということになり、出力音声を何等かの音声出力装置に接続することにより動画像符号化装置１０１の位置が分かるようにすることができる。
【００３５】
また、動画像符号化装置１０１で位置情報をデータとして合成し、データ符号化部１０７によりデータ符号列として伝送符号列に多重化した場合、動画像復号化装置２０１では、出力データ自身が位置情報データとの合成データということになり、出力データを何等かのデータ出力装置に接続することにより動画像符号化装置１０１の位置が分かるようにすることができる。
【００３６】
さらに、位置情報を、映像として合成するか、音声として合成するか、データとして合成するかは任意であり、動画像復号化部２０３、音声復号化部２０４、データ復号化部２０５などの手段について、ひとつあるいは複数の手段として組み合わせて動画像復号化装置２０１を構成することもできる。
【００３７】
【発明の効果】
上記実施例より明らかなように、本発明は、伝送路上における位置情報を管理するシステムやサービスなしに、動画像符号化装置の位置を動画像復号化装置に伝送することができる。
【図面の簡単な説明】
【図１】本発明の実施形態の動画像符号化装置の構成図
【図２】本発明の実施形態の動画像複合化装置の構成図
【図３】動画像符号化装置および動画像復号化装置より成る従来の動画像符号化復号化装置の構成図
【符号の説明】
１０１　動画像符号化装置
１０２　位置情報検出部
１０３　位置情報映像化部
１０４　映像合成部
１０５　動画像符号化部
１０６　音声符号化部
１０７　データ符号化部
１０８　多重化部
１０９　位置情報音声化部
１１０　音声合成部
１１１　位置情報データ化部
１１２　データ合成部
２０１　動画像復号化装置
２０２　分離部
２０３　動画像復号化部
２０４　音声復号化部
２０５　データ復号化部
２０６　映像分離部
２０７　音声分離部
２０８　データ分離部
３０１　ＮＴＳＣ／ＣＩＦ変換回路
３０２　動画符号化回路
３０３　多重化部
３０４　分離部
３０５　動画復号化部
３０６　ＣＩＦ／ＮＴＳＣ変換回路
３０７　センター装置
【図１】
2004023644.tif 000003
【図２】
2004023644.tif 000004
【図３】
2004023644.tif 000005